(57)【要約】【課題】  シューズクロークを通過する動線とシューズクロークを通過しない動線のいずれの動線からも履物などの収納物が出し入れ可能となる玄関部構造を提供する。【解決手段】玄関部構造１は、玄関３と、前記玄関３に隣接して配置され少なくとも前記玄関３から出入り可能な第一出入口１３を有するシューズクローク６と、前記玄関３と前記シューズクローク６との境界に設けられる間仕切家具７と、を備え、前記間仕切家具７は、前記玄関３側及び前記シューズクローク６側の両側から収納物２２を出し入れ可能な下駄箱である。【選択図】図１
2019031828.tif 000002
【特許請求の範囲】
【請求項１】
玄関と、前記玄関に隣接して配置され少なくとも前記玄関から出入り可能な出入口を有するシューズクロークと、前記玄関と前記シューズクロークとの境界に設けられる間仕切家具と、を備え、
前記間仕切家具は、前記玄関側及び前記シューズクローク側の両側から収納物を出し入れ可能な下駄箱であることを特徴とする玄関部構造。
【請求項２】
前記玄関は玄関土間と前記玄関土間よりも床が高い玄関ホールとを有し、
前記シューズクロークは前記玄関土間に面して前記出入口が形成されるとともに、当該玄関土間と同じ床高さの土間床を有しており、
前記間仕切家具は前記玄関ホールと前記シューズクロークとの境界に設けられることを特徴とする請求項１に記載の玄関部構造。
【請求項３】
前記間仕切家具は前記玄関側に開閉可能な扉を有することを特徴とする請求項１又は請求項２に記載の玄関部構造。
【請求項４】
前記シューズクロークは、当該シューズクロークから前記玄関を通過せずに居室にアクセス可能な第二出入口を有することを特徴とする請求項１から請求項３のいずれかに記載の玄関部構造。
【請求項５】
前記第二出入口はウォークスルークローゼットに面することを特徴とする請求項４に記載の玄関部構造。
【請求項６】
前記ウォークスルークローゼットは、寝室に出入り可能な第三出入口を有することを特徴とする請求項５に記載の玄関部構造。
【発明の詳細な説明】
【技術分野】
【０００１】
本発明は、シューズクロークを有する玄関部構造に関する。
【背景技術】
【０００２】
従来より、履物を収容するために、玄関に隣接していわゆるシューズクロークを設けることが知られている。シューズクロークは、一般に、玄関から間仕切壁によって仕切られることにより、玄関に隣接して玄関の土間部から出入り可能に設けられるものである。このようなシューズクロークの中には、玄関の土間部に面する出入口の他に、別の箇所に面する出入口を設けることで、所謂ウォークスルー形式としたものもあり、玄関の土間部から玄関ホールを通過して居室に入る動線と、玄関の土間部からシューズクロークを通過して、キッチンなどの別の空間に入る動線との２つの生活動線に分ける提案がなされている。
【０００３】
ところで、シューズクロークを設けるために玄関に間仕切壁を設置した場合に当該間仕切壁の厚さによって玄関のスペースが狭められる問題や間仕切壁を施工する手間が発生する。このような問題や手間を軽減するために、シューズクローク側の面が開口した下駄箱が設けられた間仕切収納家具をによって玄関とシューズクロークとを区画する発明が提案されている（特許文献１参照）。
【先行技術文献】
【特許文献】
【０００４】
【特許文献１】特開２００８−８８６６３号公報
【発明の概要】
【発明が解決しようとする課題】
【０００５】
ところで、シューズクロークを所謂ウォークスルー形式として玄関に繋がる生活動線を２つに分けた場合であっても、履物はシューズクロークに収納されているので、帰宅時や外出時には、一旦シューズクロークで履物を脱ぐ又は履く必要があるので、玄関の土間部から玄関ホールを通過して居室に入る生活動線が十分に活用されない問題がある。一方、玄関の土間部から玄関ホールを通過して居室に入る生活動線を活用すると、シューズクロークを通過しないので、玄関土間に履物が置いたままになる問題が生じうる。そこで、玄関にもシューズクロークとは別に下駄箱を設置する場合には玄関が狭くなる問題があり、また、必ずしも履きたい履物を玄関の下駄箱に収納しておけないので、結局、シューズクロークに入って履物を取り出すことになる。
【０００６】
そこで、本発明はシューズクロークを通過する動線とシューズクロークを通過しない動線のいずれの動線からも履物などの収納物が出し入れ可能となる玄関部構造を提供することを目的とする。
【課題を解決するための手段】
【０００７】
本発明の玄関部構造は、玄関と、前記玄関に隣接して配置され少なくとも前記玄関から出入り可能な出入口を有するシューズクロークと、前記玄関と前記シューズクロークとの境界に設けられる間仕切家具と、を備え、前記間仕切家具は、前記玄関側及び前記シューズクローク側の両側から収納物を出し入れ可能な下駄箱であることを特徴としている。
【０００８】
本発明の玄関部構造は、前記玄関は玄関土間と前記玄関土間よりも床が高い玄関ホールとを有し、前記シューズクロークは前記玄関土間に面して前記出入口が形成されるとともに、当該玄関土間と同じ床高さの土間床を有しており、前記間仕切家具は前記玄関ホールと前記シューズクロークとの境界に設けられることを特徴としている。
【０００９】
本発明の玄関部構造は、前記間仕切家具は前記玄関側に開閉可能な扉を有することを特徴としている。
【００１０】
本発明の玄関部構造は、前記シューズクロークは、当該シューズクロークから前記玄関を通過せずに居室にアクセス可能な第二出入口を有することを特徴としている。
【００１１】
本発明の玄関部構造は、前記第二出入口はウォークスルークローゼットに面することを特徴としている。
【００１２】
本発明の玄関部構造は、前記ウォークスルークローゼットは、寝室に出入り可能な第三出入口を有することを特徴としている。
【発明の効果】
【００１３】
本発明の玄関部構造によると、間仕切家具が玄関側及びシューズクローク側の両側から収納物を出し入れ可能な下駄箱であるので、シューズクローク内に入ることなく履物などの収納物を収納し、又は取り出すことができ生活動線をスムーズにすることができるとともに、シューズクローク側からも出し入れ可能であるので生活場面に応じて便利に選択することができる。
【００１４】
本発明の玄関部構造によると、間仕切家具が玄関ホールとシューズクロークとの境界に設けられるので、玄関ホールで履物を出し入れすることと、シューズクロークで履物を出し入れすることの両方が可能であり、生活場面に応じて便利に選択することができる。
【００１５】
本発明の玄関部構造によると、間仕切家具は玄関側に開閉可能な扉を有するので、玄関側からは従来からある下駄箱のように見せることができ、下駄箱とシューズクロークの両方の機能を併せ持つことができる。
【００１６】
本発明の玄関部構造によると、シューズクロークは、玄関を通過せずに居室にアクセス可能な第二出入口を有するので、所謂ウォークスルー形式のシューズクロークとすることができ、シューズクロークを通過する動線と、シューズクロークを通過しない動線のいずれの生活動線を通る場合であっても履物を出し入れすることができ、生活場面に応じてスムーズで利便性の高い生活動線とすることができる。
【００１７】
本発明の玄関部構造によると、第二出入口はウォークスルークローゼットに面するので、シューズクロークを通過する動線を通って外出し又は帰宅する際には、ウォークスルークローゼットをも通過することになるので、外套をウォークスルークローゼット内に収納するなど生活動線の利便性を高めることができる。また、第二出入口を単なる廊下やホールに繋ぐ場合に比べて必要面積を小さくすることができる。
【００１８】
本発明の玄関部構造によると、ウォークスルークローゼットは、寝室に出入り可能な第三出入口を有するので、生活動線が玄関土間からシューズクローク、ウォークスルークローゼットを経て寝室に繋がることになり、外出準備などの利便性を高めることができるとともに、シューズクローク及びウォークスルークローゼットを寝室に設けられた収納兼寝室から玄関に通じる廊下として用いることができ利便性を高めることができる。
【図面の簡単な説明】
【００１９】
【図１】玄関部構造を備えた住戸の間取りを示す断面図。
【図２】２つの生活動線を説明する図１の一部拡大図。
【図３】シューズクローク及びウォークスルークローゼットの外観構成を説明する一部省略斜視図。
【図４】シューズクローク側から収納物を取り出す状態の間仕切家具の内部構成を説明する鉛直方向に切断した断面図。
【図５】玄関ホール側から収納物を取り出す状態の間仕切家具の内部構成を説明する鉛直方向に切断した断面図。
【発明を実施するための形態】
【００２０】
以下、本発明に係る玄関部構造１の最良の実施形態について、各図を参照しつつ説明する。本実施形態の玄関部構造１は集合住宅の住戸に設けられる玄関部構造１である。なお、本発明の玄関部構造１は、集合住宅の住戸に設けられるものに限定されるものではなく、戸建住宅の住戸の玄関部構造１であってもよい。
【００２１】
玄関部構造１は、図１及び図２に示すように、共用廊下１０などの外部から出入りする玄関ドア２を有する玄関３と、玄関土間４から出入り可能な第一出入口１３を有するシューズクローク６と、玄関３とシューズクローク６との境界に設けられる間仕切家具７と、シューズクローク６に隣接しており第二出入口１４によってシューズクローク６と繋がるウォークスルークローゼット８と、を備えている。なお、本発明における「出入口」は本実施形態に置いては第一出入口１３が相当する。
【００２２】
玄関３は、玄関土間４と、玄関土間４よりも床が高い玄関ホール５とを有している。玄関土間４は平面視矩形に形成されており、間口方向の一方の壁にシューズクローク６と繋がる第一出入口１３が形成されている。玄関ホール５は、玄関土間４の奥行側に上がり框１６を介して形成されており、奥行方向に延びてリビングダイニング１８及びキッチン１９に繋がっている。また、玄関ホール５は、奥行方向の中間部で一方の間口方向に延びて洗面所２０に繋がるとともに、トイレ２１のドアに面している。したがって、外部から屋内に入る生活動線として、玄関ドア２を通過して玄関土間４から玄関ホール５に上がり、リビングダイニング１８及びキッチン１９に入室する動線及び洗面所２０やトイレ２１に入る動線が形成されている。
【００２３】
シューズクローク６は、図３に示すように、玄関土間４の一方の壁に形成された第一出入口１３によって、玄関土間４と出入り可能に配置されている。第一出入口１３には開き戸の第一開閉ドアが開閉自在に設けられている。シューズクローク６の床は、玄関土間４と同じ床高さの土間床６１である。シューズクローク６は玄関土間４よりも奥行方向に長く形成されており、シューズクローク６の一部は玄関ホール５と間仕切家具７を挟んで隣接している。シューズクローク６の奥行側には第二出入口１４を介してウォークスルークローゼット８が隣接している。第二出入口１４は、ドアが設けられておらず、シューズクローク６とウォークスルークローゼット８とは常に互いに行き来可能に開放されている。第二出入口１４の床面には上がり框１７が形成されており、ウォークスルークローゼット８の床面がシューズクローク６の土間床６１よりも高く形成されている。
【００２４】
間仕切家具７は、図３から図５に示すように、シューズクローク６と玄関ホール５との境界に設けられる造作家具であり、収納物２２としての履物を収納可能な下駄箱である。間仕切家具７は、一対の側壁部７１と、当該一対の側壁部７１の間に架設される複数の棚板７２と、玄関ホール５側に形成された扉７３と、を有している。棚板７２は例えば側壁部７１に形成された図示しないダボに支持される平板材であり、高さの異なる履物を効率的に収納するために、棚板７２の高さは可変であることが好ましい。
【００２５】
間仕切家具７は図３に示すようにシューズクローク６側が常に開放されており、例えば図４に示すように、棚板７２上の履物などの収納物２２をシューズクローク６側から取り出し、又は棚板７２上に収納物２２を載置することができる。また、扉７３は、本実施形態においては折れ戸である。図５に示すように、扉７３を開くことにより、玄関ホール５側から棚板７２に載置されて収納されている収納物２２を取り出し、又は棚板７２に収納物２２を載置することができる。なお、扉７３は折れ戸に限定されるものではなく引き戸、引き違い戸、開き戸などの間仕切家具７の玄関ホール５側の面を開閉可能な構成であればよい。
【００２６】
ウォークスルークローゼット８は、第二出入口１４を介してシューズクローク６と繋がるとともに、間口方向の玄関ホール５と反対側の壁に第三出入口１５が形成されて、寝室９に行き来自在に繋がっている。第三出入口１５には折れ戸の第三開閉ドアが形成されている。ウォークスルークローゼット８は、第二出入口１４及び第三出入口１５が形成された側面と対向する側面に沿ってそれぞれハンガーパイプ８１が架設されており、外套などの衣類を収納可能な構成となっている。なお、図示しないがウォークスルークローゼット８はハンガーパイプ８１の他に棚や引き出し等の収納部が形成されていてもよい。
【００２７】
このように玄関土間４、シューズクローク６、ウォークスルークローゼット８、寝室９がつながっているので、外出時や帰宅時にシューズクローク６やウォークスルークローゼット８を通過することで、履物や外套を収納しつつ居室内に入る利便性の高い動線とすることができる。
【００２８】
ウォークスルークローゼット８は、シューズクローク６及び寝室９にアクセス可能であることで、玄関３からアクセスしやすい位置に配置された外套などを保管するクロークルームとしての役割を果たすとともに、寝室９に設けられた衣類などを収納するクローゼットとしての役割を果たすことができ、さらに、シューズクローク６から寝室９に到る通路としての役割をも果たすことができる。一般的なシューズクロークの出入口を２箇所設けて単にウォークスルー形式にした場合２箇所の出入口それぞれに大きなスペースが必要となるが、本実施形態の玄関部構造１のように第二出入口１４をウォークスルークローゼット８と繋いだことにより、て第二出入口１４にほとんどスペースが必要なくなるので省スペース化することもできる。
【００２９】
以上のように本実施形態の本発明の玄関部構造１によると、図２に示すように、玄関土間４から玄関ホール５を通過して、リビングダイニング１８、キッチン１９、洗面所２０、又はトイレ２１に入る玄関ホール側の生活動線１１と、玄関土間４から、シューズクローク６、及びウォークスルークローゼット８を通過して寝室９に入るシューズクローク側の生活動線１２との２つの生活動線が形成されている。
【００３０】
そして玄関ホール５及びシューズクローク６のいずれの側からでも間仕切家具７に収納された履物などの収納物２２を取り出し可能であり、また、いずれの側からでも収納することができるので、玄関ホール側の生活動線１１を利用する場合でもシューズクローク側の生活動線１２を利用する場合でも間仕切家具７内の所望の履き物を取り出し又は収納することができ、これらの生活動線を生活場面に応じて自由に選択することができる。
【００３１】
なお、本発明の実施の形態は上述の形態に限ることなく、本発明の思想の範囲を逸脱しない範囲で適宜変更することができることは云うまでもない。
【産業上の利用可能性】
【００３２】
本発明に係る玄関部構造１は例えば集合住宅の住戸や戸建住宅の玄関部に用いられる構造として好適に用いることができる。
【符号の説明】
【００３３】
１      玄関部構造
３      玄関
４      玄関土間
５      玄関ホール
６      シューズクローク
７      間仕切家具
８      ウォークスルークローゼット
９      寝室
１３    第一出入口（出入口）
１４    第二出入口
１５    第三出入口
７３    扉
【図１】
2019031828.tif 000003
【図２】
2019031828.tif 000004
【図３】
2019031828.tif 000005
【図４】
2019031828.tif 000006
【図５】
2019031828.tif 000007
【手続補正書】
【提出日】平成30年8月27日(2018.8.27)
【手続補正１】
【補正対象書類名】特許請求の範囲
【補正対象項目名】全文
【補正方法】変更
【補正の内容】
【特許請求の範囲】
【請求項１】
少なくとも１以上の居室へアクセス可能な玄関と、前記玄関に隣接して配置され少なくとも前記玄関から出入り可能な出入口を有するシューズクロークと、前記玄関と前記シューズクロークとの境界に設けられる間仕切家具と、を備え、
前記間仕切家具は、前記玄関側及び前記シューズクローク側の両側から収納物を出し入れ可能な下駄箱であり、
前記シューズクロークは、当該シューズクロークから前記玄関を通過せずに、当該玄関からアクセス可能な居室とは異なる他の居室へアクセス可能であり、
前記シューズクロークと前記他の居室との間には、前記シューズクローク及び前記他の居室から行き来可能なウォークスルークローゼットを配置することを特徴とする玄関部構造。
【請求項２】
前記玄関は玄関土間と前記玄関土間よりも床が高い玄関ホールとを有し、
前記シューズクロークは前記玄関土間に面して前記出入口が形成されるとともに、当該玄関土間と同じ床高さの土間床を有しており、
前記間仕切家具は前記玄関ホールと前記シューズクロークとの境界に設けられることを特徴とする請求項１に記載の玄関部構造。
【請求項３】
前記間仕切家具は前記玄関側に開閉可能な扉を有することを特徴とする請求項１又は請求項２に記載の玄関部構造。
【請求項４】
前記シューズクロークは、前記ウォークスルークローゼットに面する第二出入口を有し、
前記ウォークスルークローゼットは、寝室に出入り可能な第三出入口を有することを特徴とする請求項１から請求項３のいずれかに記載の玄関部構造。
【手続補正２】
【補正対象書類名】明細書
【補正対象項目名】０００７
【補正方法】変更
【補正の内容】
【０００７】
本発明の玄関部構造は、少なくとも１以上の居室へアクセス可能な玄関と、前記玄関に隣接して配置され少なくとも前記玄関から出入り可能な出入口を有するシューズクロークと、前記玄関と前記シューズクロークとの境界に設けられる間仕切家具と、を備え、前記間仕切家具は、前記玄関側及び前記シューズクローク側の両側から収納物を出し入れ可能な下駄箱であり、前記シューズクロークは、当該シューズクロークから前記玄関を通過せずに、当該玄関からアクセス可能な居室とは異なる他の居室へアクセス可能であり、前記シューズクロークと前記他の居室との間には、前記シューズクローク及び前記他の居室から行き来可能なウォークスルークローゼットを配置することを特徴としている。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】変更
【補正の内容】
【００１２】
本発明の玄関部構造は、前記シューズクロークは、前記ウォークスルークローゼットに面する第二出入口を有し、前記ウォークスルークローゼットは、寝室に出入り可能な第三出入口を有することを特徴としている。